(57)【特許請求の範囲】
【請求項１】
撮像機器の撮像レンズの先端部分に取着され、上記撮像レンズの光学的特性を変化させるための撮像機器の外付けレンズにおいて、
上記外付けレンズのレンズ鏡筒の円筒部の後端部分の内周面に螺溝を形成すると共にその外周面にも螺条を形成し、
上記撮像レンズのレンズ鏡筒の先端部分の内周面に螺溝が形成されたものに対しては、上記外付けレンズのレンズ鏡筒の後端部分の外周面に形成された螺条と螺合させることによって、外付けレンズを撮像レンズに取着するようにし、
上記撮像レンズのレンズ鏡筒の先端部分の外周面に螺条が形成されたものに対しては、上記外付けレンズのレンズ鏡筒の後端部分の内周面に形成された螺溝と螺合させることによって、外付けレンズを撮像レンズに取着するようにすると共に、外付けレンズのレンズ鏡筒の後端部分にはその外周面に形成された螺条に略リング状をした保護カバーが螺合することによって保護カバーが外嵌されるようにした
ことを特徴とする撮像機器の外付けレンズ。
【発明の詳細な説明】
【０００１】
【発明の属する技術分野】
本発明は撮像機器における外付けレンズ、例えば、ワイド又はテレコンバージョンレンズにおいて、取り付けられる側の撮像機器に光学的悪影響を及ぼさないようにする技術に関するものである。
【０００２】
【従来の技術】
ビデオカメラ等の撮像機器においては、標準で備えられている撮像レンズに外付けでレンズを取り付けて、その光学特性、特に画角や倍率を変化させることが一般的に行われている。このような目的で用いられる外付けレンズは、所謂コンバージョンレンズと称され、これにはワイドコンバージョンレンズ、テレコンバージョンレンズ等がある。
【０００３】
図２は、上記従来の外付けレンズの取付構造を示すものであり、外付けレンズａは、その一端部の外周面に取り付け用の螺条ｂが形成された取付部ｃを有し、上記取付部ｃを撮像機器の撮像レンズｄのレンズ鏡筒ｅの端部ｆの内周面に形成された螺溝ｇにねじ込むことによって外付けレンズａが撮像機器に取着される、即ち、外付けレンズａの取付部ｃが撮像レンズｄのレンズ鏡筒ｅに内嵌されるようになっている。
【０００４】
【発明が解決しようとする課題】
ところで、上記したような取付構造を有する従来の外付けレンズａにあっては、その取付部ｃを撮像機器の撮像レンズｄのレンズ鏡筒ｅ端部ｆにねじ込んで内嵌するという構造であるため、上記取付部ｃによってレンズ鏡筒ｅの端部ｆの内径が小さくなってしまい、これによってレンズの有効径も制限されて、撮影画像の一部に外付けレンズａの取付部が黒い影となって写ってしまうこと、所謂ケラレが発生するという問題があった。
【０００５】
上記問題は、特に、昨今の小型化された撮像機器、当然のことながら撮像レンズも小型化されている撮像機器にあっては、より大きな影響を受けることになる。
【０００６】
そこで、本発明外付けレンズの取付構造は、上記問題点に鑑み、取り付けられる側の撮像機器に光学的悪影響を及ぼさない外付けレンズを供給することを課題とする。
【０００７】
【課題を解決するための手段】
本発明外付けレンズの取付構造は、上記課題を解決するために、外付けレンズのレンズ鏡筒の円筒部の後端部分の内周面に螺溝を形成すると共にその外周面にも螺条を形成し、撮像レンズのレンズ鏡筒の先端部分の内周面に螺溝が形成されたものに対しては、外付けレンズのレンズ鏡筒の後端部分の外周面に形成された螺条と螺合させることによって、外付けレンズを撮像レンズに取着するようにし、撮像レンズのレンズ鏡筒の先端部分の外周面に螺条が形成されたものに対しては、外付けレンズのレンズ鏡筒の後端部分の内周面に形成された螺溝と螺合させることによって、外付けレンズを撮像レンズに取着するようにすると共に、外付けレンズのレンズ鏡筒の後端部分にはその外周面に形成された螺条に略リング状をした保護カバーが螺合することによって保護カバーが外嵌されるようにしたものである。
【０００８】
従って、外付けレンズを取り付けることによる撮像機器への画像のケラレ等の光学的悪影響を排除することが可能となる。また、ネジが撮像機器の撮像レンズのレンズ鏡筒の先端部分の外周側に設けられていても内周側に設けられていても、１つの外付けレンズで対応することが可能になる。そして、さらに、撮像レンズのレンズ鏡筒の先端部分の外周面に螺条が形成されたものに対して、外付けレンズのレンズ鏡筒の後端部分の内周面に形成された螺溝が螺合されることで外付けレンズが撮像レンズに取着される場合は、外付けレンズのレンズ鏡筒の後端部分の外周面の螺条は、保護カバーが外嵌されることによりむき出しになるのを防いで保護される。
【０００９】
【発明の実施の形態】
以下に、本発明撮像機器の外付けレンズの実施の形態について、添付図面を参照して説明する。尚、以下の実施の形態は、本発明を、小型ビデオカメラ用のワイドコンバージョンレンズ１に適用したものである。
【００１０】
コンバージョンレンズ１は、ビデオカメラ２の撮像レンズ３の先端（対物側）に取着して、撮像レンズ３の光学的特性（画角）をワイド（広角）側に変化させるものである。
【００１１】
上記コンバージョンレンズ１は、図１に示すように、その外径及び内径が部分的に異なる略円筒形に形成されたレンズ鏡筒４を有し、該レンズ鏡筒４内に適宜な第１乃至第３レンズ５、６及び７が配設されて成るものである。
【００１２】
そして、レンズ鏡筒４は、最も外径の大きい部分である前部８と、最も外径の小さな部分である後部９と、これら前部８及び後部９を連結し、前部８から後部９へと徐々にその外径及び内径が小さくなった部分である中間部１０とから成る。
【００１３】
また、最も外径及び内径の小さな部分である上記後部９であっても、後述するような撮像レンズ２への取付構造を有するという関係上、その外径は撮像レンズ２のレンズ鏡筒の外径よりも大きく、また、その内径は撮像レンズ２のレンズ鏡筒の外径と略同じとされている。尚、上記前部８の前端部１１はレンズフードとして機能するように、その外径及び内径が適宜な大きさに形成される。
【００１４】
上記レンズ鏡筒４の後部９には、図１に示すように、フランジ１２が形成される。該フランジ１２の外周面１３は、後述するように、コンバージョンレンズ１をビデオカメラ２に回転させて取着する際の滑り止めとして機能するようにローレット加工が施されている。
【００１５】
更に、上記後部９のフランジ１２の後方の部分１４は、更に後方に突出すると共に後部９よりも更にその外径及び内径が小さくなって、その外周面及び内周面にそれぞれ、螺条１５及び螺溝１６が形成されて取付部とされる。
【００１６】
尚、上記螺条１５は、コンバージョンレンズ１を撮像レンズに後述するような取付部が設けられていない現行方式のものに用いる場合に使用するものである。取付部１４には、外周部の螺条１５を保護するための略リング状をした保護カバー１７が螺条１５に螺合によって外嵌される。
【００１７】
上記取付部１４に対応して、ビデオカメラ２には、撮像レンズ２のレンズ鏡筒１８に取付部１９が形成される。該取付部１９は、撮像レンズ２の先端部分に設けられ、レンズ鏡筒１８の外周面に螺条２０が形成されて成るものである。
【００１８】
しかして、コンバージョンレンズ１はビデオカメラ２の撮像レンズ３に、図１に示すように、撮像レンズ３のレンズ鏡筒１８にコンバージョンレンズ１のレンズ鏡筒１８を外嵌するようにして、前記取付部１４の螺溝１６と上記取付部１９の螺条２０とを螺合させることによって取着される。尚、この時、コンバージョンレンズ１のフランジ１２を用いて、コンバージョンレンズ１を全体的に回転させながら上記取着作業を行うようにすると、これが楽に行えるようになる。
【００１９】
尚、上記撮像レンズ３の取付部１９の螺条２０にも、未使用時にこれを保護するために前記保護カバー１７と同様な保護カバーを取着するようにしても良い。
【００２０】
上記したように、外付けレンズのレンズ鏡筒を撮像レンズのレンズ鏡筒に外嵌するようにして取着する構造であるため、外付けレンズのレンズ鏡筒は撮像レンズのレンズ鏡筒よりも外側に位置するようになって、昨今、小型化が著しいビデオカメラにおいて、小型化した本体に伴って小型化した撮像レンズに用いても、外付けレンズを内嵌する場合のように、外付けレンズのレンズ鏡筒が撮像レンズのレンズ鏡筒よりも内側に位置して撮像レンズのレンズの有効径を減少させることがなく、外付けレンズを用いることによる様々な光学的な悪影響を防止することが可能となる。
【００２１】
【発明の効果】
以上に記載したところから明らかなように本発明撮像機器の外付けレンズは、外付けレンズのレンズ鏡筒の円筒部の後端部分の内周面に螺溝を形成すると共にその外周面にも螺条を形成し、撮像レンズのレンズ鏡筒の先端部分の内周面に螺溝が形成されたものに対しては、外付けレンズのレンズ鏡筒の後端部分の外周面に形成された螺条と螺合させることによって、外付けレンズを撮像レンズに取着するようにし、撮像レンズのレンズ鏡筒の先端部分の外周面に螺条が形成されたものに対しては、外付けレンズのレンズ鏡筒の後端部分の内周面に形成された螺溝と螺合させることによって、外付けレンズを撮像レンズに取着するようにすると共に、外付けレンズのレンズ鏡筒の後端部分にはその外周面に形成された螺条に略リング状をした保護カバーが螺合することによって保護カバーが外嵌されるようにしたものであるので、外付けレンズを取り付けることによる撮像機器への画像のケラレ等の光学的悪影響を排除することができる。また、ネジが撮像機器の撮像レンズのレンズ鏡筒の先端部分の外周側に設けられていても内周側に設けられていても、１つの外付けレンズで対応することが可能になる。そして、さらに、撮像レンズのレンズ鏡筒の先端部分の外周面に螺条が形成されたものに対して、外付けレンズのレンズ鏡筒の後端部分の内周面に形成された螺溝が螺合されることで外付けレンズが撮像レンズに取着される場合は、外付けレンズのレンズ鏡筒の後端部分の外周面の螺条は、保護カバーが外嵌されることによりむき出しになるのを防いで保護される。
【００２３】
尚、前記実施の形態において示した各部の具体的な形状及び構造は、何れも本発明を実施するに当たっての具体化のほんの一例を示したものに過ぎず、これらによって本発明の技術的範囲が限定的に解釈されることがあってはならないものである。
【図面の簡単な説明】
【図１】  本発明撮像機器の外付けレンズを一部を断面にして示す図である。
【図２】  従来の撮像機器の外付けレンズを示す図である。
【符号の説明】
１…撮像機器の外付けレンズ、２…撮像装置、３…撮像レンズ、４…レンズ鏡筒、１５…螺条、１６…螺溝、１７…保護カバー、１８…レンズ鏡筒、２０…螺条
【図１】
0003994507.tif 000002
【図２】
0003994507.tif 000003